(57)【要約】【課題】タッチパッドの操作面に接触する指の本数に応じて操作仕様を変更することができる車両用操作装置の提供。【解決手段】タッチパッドから離れた位置に配置された表示装置をタッチパッドにより操作する車両用操作装置において、タッチパッドの操作面に接触する指の本数を検出する指本数検出手段と、指本数検出手段より検出された本数に基づいて、表示装置の操作仕様を変更する操作仕様変更手段とを備える。【選択図】図２
2013137711.tif 000002
【特許請求の範囲】
【請求項１】
タッチパッドから離れた位置に配置された表示装置を前記タッチパッドにより操作する車両用操作装置において、
前記タッチパッドの操作面に接触する指の本数を検出する指本数検出手段と、
前記指本数検出手段より検出された本数に基づいて、前記表示装置の操作仕様を変更する操作仕様変更手段とを備えることを特徴とする、車両用操作装置。
【請求項２】
前記指本数検出手段より検出された本数に基づいて、前記表示装置上の操作画面に表示される操作アイコンを変更する操作アイコン変更手段を更に備える、請求項１に記載の車両用操作装置。
【請求項３】
前記指本数検出手段より検出された本数が３本である場合、前記操作仕様変更手段は、３本の指のうちの真ん中の指によるスクロール操作を可能とする、請求項１又は２に記載の車両用操作装置。
【請求項４】
前記指本数検出手段より検出された本数が３本である場合、前記操作仕様変更手段は、３本の指のうちの左右の指による決定操作又は戻る操作を可能とする、請求項１〜３のうちのいずれか１項に記載の車両用操作装置。
【発明の詳細な説明】
【技術分野】
【０００１】
本発明は、タッチパッドから離れた位置に配置された表示装置を前記タッチパッドにより操作する車両用操作装置に関する。
【背景技術】
【０００２】
従来から、この種の車両用操作装置は知られている（例えば、特許文献１参照）。
【先行技術文献】
【特許文献】
【０００３】
【特許文献１】特開２０１０−６１２２４号公報
【発明の概要】
【発明が解決しようとする課題】
【０００４】
しかしながら、従来のこの種の車両用操作装置では、タッチパッドの操作面に接触する指の本数に応じて操作仕様が変更されず、利便性の観点から改善の余地がある。
【０００５】
そこで、本発明は、タッチパッドの操作面に接触する指の本数に応じて操作仕様を変更することができる車両用操作装置の提供を目的とする。
【課題を解決するための手段】
【０００６】
上記目的を達成するため、本発明の一局面によれば、タッチパッドから離れた位置に配置された表示装置を前記タッチパッドにより操作する車両用操作装置において、
前記タッチパッドの操作面に接触する指の本数を検出する指本数検出手段と、
前記指本数検出手段より検出された本数に基づいて、前記表示装置の操作仕様を変更する操作仕様変更手段とを備えることを特徴とする、車両用操作装置が提供される。
【発明の効果】
【０００７】
本発明によれば、タッチパッドの操作面に接触する指の本数に応じて操作仕様を変更することができる車両用操作装置が得られる。
【図面の簡単な説明】
【０００８】
【図１】本発明の一実施例による車両用操作装置１のタッチパッド１０とディスプレイ２０の配置状態の一例を示す概略図である。
【図２】本発明の一実施例による車両用操作装置１の主要構成のブロック図である。
【図３】描画ＥＣＵ３２により描画されるディスプレイ２０の操作画面の例を示す図である。
【図４】ディスプレイ２０の操作画面の状態と、タッチパッド１０の操作面に対する手の状態との関係を時系列で模式的に示す図である。
【図５】制御ＥＣＵ３４により実現される要部処理の一例を示すフローチャートである。
【図６】図５の２本動作判定処理（Ｓ５２６）の一例を示す図である。
【図７】２本操作状態における各指の接触点の座標の変化（軌跡）の一例を示す図である。
【図８】３本動作判定処理（Ｓ５４０）の一例を示す図である。
【図９】３本操作状態における各指の接触点の座標の変化（軌跡）の一例を示す図である。
【発明を実施するための形態】
【０００９】
以下、図面を参照して、本発明を実施するための最良の形態の説明を行う。
【００１０】
図１は、本発明の一実施例による車両用操作装置１のタッチパッド１０とディスプレイ２０の配置状態の一例を示す概略図である。図２は、本発明の一実施例による車両用操作装置１の主要構成のブロック図である。
【００１１】
車両用操作装置１は、図２に示すように、タッチパッド１０と、ディスプレイ２０と、描画ＥＣＵ３２と、制御ＥＣＵ３４とを含む。
【００１２】
タッチパッド１０は、図１に示すように、タッチ操作が可能な２次元の操作面を有する。タッチパッド１０による検出原理は、静電容量式に基づくものであってよい。タッチパッド１０は、例えば、平板状の電極（センサ）を備え、平板状の電極に人の操作指が接触することにより生じる微弱な静電容量の変化に基づいて、操作指の接触位置（操作面内の２次元座標）等を検出するものであってよい。タッチパッド１０は、操作面内における操作指の接触位置の他、なぞる操作、即ち接触しながらの操作指の動き（接触位置の変化）を検出してもよい。また、タッチパッド１０は、指でタッチパッド表面上が軽く叩かれる操作(タップ)を検出できるものであってもよい。尚、タッチパッド１０の操作面は、矩形であってよいが、横長比は任意であってよい。また、タッチパッド１０の操作面は、円形のような他の形状を有してもよい。
【００１３】
ディスプレイ２０は、液晶ディスプレイのような任意の表示装置から構成される。ディスプレイ２０は、表示機能のみを有するものであってよい（即ち、タッチ操作が可能でないディスプレイであってよい）。但し、ディスプレイ２０は、タッチ操作が可能なディスプレイであってもよい。ディスプレイ２０の画面の縦横比は、任意であり、タッチパッド１０の操作面の縦横比と同一であってもよいし、異なってもよい。
【００１４】
タッチパッド１０及びディスプレイ２０は、車室内の異なる位置に配置され、タッチパッド１０の方がディスプレイ２０よりもユーザ（特に運転者）に近い側に配置される。具体的には、図１に示すように、タッチパッド１０は、ユーザが操作しやすい位置、好ましくは、運転者が手を伸ばすだけで操作できるような位置に配置される。タッチパッド１０は、例えば、センターコンソール部に配置されてよいし、インストルメントパネルに配置されてもよい。他方、ディスプレイ２０は、ユーザが見やすい位置、好ましくは、運転者が運転中の視野を大きく変えることなく見ることができるような位置に配置される。ディスプレイ２０は、例えば、インストルメントパネル上面の中央部に配置されてよい。尚、ディスプレイ２０の画面の大きさは、典型的には、タッチパッド１０の操作面の大きさよりも有意に大きく設定される。
【００１５】
描画ＥＣＵ３２は、図２に示すように、ディスプレイ２０に接続される。尚、この接続は、有線であっても無線であってもよく、また、直接的な態様であっても間接的な態様であってもよい。描画ＥＣＵ３２は、ディスプレイ２０とは別体であってもよいし、図２に示すように、ディスプレイ２０に内蔵されてグラフィックディスプレイ１００を構成してもよい。描画ＥＣＵ３２は、ディスプレイ２０における操作画面の描画機能を備え、映像信号をディスプレイ２０に送ることでディスプレイ２０に所定の操作画面を出力する。描画機能としては、主に、操作項目描画機能３２１、項目選択状態描画機能３２２、操作アイコン描画機能３２３及び操作アイコン制御機能３２４を備える。これらについては後述する。尚、描画ＥＣＵ３２は、更に、タッチパッド１０での各種操作に応じた各種機能を実現する処理を行うものであってもよい。即ち、描画ＥＣＵ３２は、機能ボタンの操作による機能を実現するために、タッチパッド１０上での各種操作に応じた操作信号を生成・出力する機能を備えてもよい。
【００１６】
制御ＥＣＵ３４は、図２に示すように、タッチパッド１０に接続される。尚、この接続は、有線であっても無線であってもよく、また、直接的な態様であっても間接的な態様であってもよい。制御ＥＣＵ３４は、タッチパッド１０とは別体であってもよいし、図２に示すように、タッチパッド１０に内蔵されもよい。制御ＥＣＵ３４は、タッチパッド１０から座標信号（タッチパッド１０の操作面での操作指の接触点の２次元座標を示す座標信号）を受信する。
【００１７】
また、制御ＥＣＵ３４は、図２に示すように、制御信号ライン３６を介して描画ＥＣＵ３２に接続される。尚、この接続は、他の態様（無線や間接的な態様）であってもよい。制御ＥＣＵ３４は、座標信号を描画ＥＣＵ３２に送信する。また、制御ＥＣＵ３４は、タッチパッド１０上での操作状態を表す各種信号（操作情報）を生成して、描画ＥＣＵ３２に送信する。
【００１８】
尚、描画ＥＣＵ３２及び制御ＥＣＵ３４の機能は、１つの専用の処理装置により実現されてもよいし、互いに異なる場所に配置された３つ以上の処理装置により協動して実現されてもよい。例えば、描画ＥＣＵ３２及び制御ＥＣＵ３４の機能の一部又は全部は、ナビゲーション装置のＥＣＵやエアコンＥＣＵにより実現されてもよい。また、描画ＥＣＵ３２の機能の一部が制御ＥＣＵ３４により実現されてもよいし、逆に、制御ＥＣＵ３４の機能の一部が描画ＥＣＵ３２により実現されてもよい。
【００１９】
図３は、描画ＥＣＵ３２により描画されるディスプレイ２０の操作画面の例を示す図である。
【００２０】
ディスプレイ２０の操作画面は、操作項目描画機能３２１により描画される複数の操作項目を含む。操作項目８０は、タッチパッド１０上で遠隔的に操作される機能ボタンを形成する。図３に示す例では、ディスプレイ２０の操作画面は、縦に配列された５つの操作項目８１〜８５を含む。
【００２１】
操作項目は、タッチパッド１０で操作可能な各種機能を表す項目を含んでよい。例えば、操作項目は、オーディオ機能、ＴＶ機能、空調機能、ナビゲーション機能、メール機能等を表すものであってよい。また、操作項目は、ディスプレイ２０で表示可能な各種情報を表す項目を含んでもよい。例えば、情報項目は、燃費などの走行情報、エンターテイメント情報等を表すものであってよい。
【００２２】
各情報項目は、アイコンの形態でディスプレイ２０に表示されてもよい。その際、各アイコンには、対応する機能を表す絵や文字（説明）が付与されてもよい。例えば、あるアイコンは、当該アイコンを選択した場合にタッチパッド１０でどのような操作が可能か（どのような機能を実現可能か）を表す絵や文字が付与されてもよい。また、あるアイコンは、当該アイコンを選択した場合にタッチパッド１０でどのような情報を見ることができるかを表す絵や文字が付与されてもよい。
【００２３】
例えば、情報項目８１は、ＴＶ機能に対応し、情報項目８１には、“ＴＶ”という文字が表示されてもよい。また、情報項目８２は、オーディオ機能に対応し、情報項目８２には、“オーディオ”という文字が表示されてもよい。また、情報項目８３は、空調機能に対応し、情報項目８３には、“空調設定”という文字が表示されてもよい。また、情報項目８４は、ナビゲーション機能に対応し、情報項目８４には、“ナビ画面”という文字が表示されてもよい。また、情報項目８５は、ＤＶＤ再生機能に対応し、情報項目８５には、“ＤＶＤ再生”という文字が表示されてもよい。
【００２４】
或いは、操作項目は、より下位の機能を表す項目を含んでよい。即ち操作項目は、入口スイッチとしての機能ではなく、下位の機能スイッチであってもよい。例えば、操作項目８１〜８５は、ヒートコントロール（いわゆるヒーコン）関連のスイッチである場合、空調装置の自動制御のオン／オフを切り替えるために操作されるＡＵＴＯスイッチや、空調装置の内外気を切り替えるために操作されるスイッチ等であってもよい。
【００２５】
ディスプレイ２０の操作画面は、また、推奨される操作指の本数を表すガイド表示７０を含む。ガイド表示７０は、１本の指で操作するのが推奨される操作画面の場合には、その旨を表し、２本の指で操作するのが推奨される操作画面の場合には、その旨を表し、３本の指で操作するのが推奨される操作画面の場合には、その旨を表す。図示の例では、ガイド表示７０は、３つの丸の表示を含み、３本の指まで操作するのが推奨される操作画面であることを表す。このようにして、図示の例では、丸の表示の個数により、推奨される操作指の本数を表す。尚、３つの丸の表示のうちのハイライトされる表示の数を可変して、推奨される操作指の本数を表してもよい。尚、図示の例では、丸の表示であるが、より直感的に理解しやすいように指を模した表示が使用されてもよい。尚、ガイド表示７０は、１本の指で操作するのが可能な操作画面であるか、１本の指又は２本の指のいずれでも操作するのが可能な操作画面であるか、又は、１本の指又は２本の指若しくは３本の指のいずれでも操作するのが可能な操作画面であるか、を表す表示であってもよい。
【００２６】
選択された操作項目は、項目選択状態描画機能３２２により選択表示とされる。即ち、項目選択状態描画機能３２２は、タッチパッド１０からの操作信号に基づいて、選択された操作項目を判断し、選択された操作項目を選択表示とする。尚、選択表示は、その操作項目が選択されていることを操作者が分かるような表示であれば任意であり、例えば、選択表示とすべき操作項目の表示の輝度や色などを他の操作項目と異ならすことで実現されてもよいし、操作項目の外枠が強調表示されてもよい。図３に示す例では、操作項目８３が選択表示とされている。
【００２７】
ディスプレイ２０の操作画面は、操作アイコン描画機能３２３により描画される操作アイコン表示９０を含む。操作アイコン表示９０は、操作画面の操作仕様を表す。操作アイコン描画機能３２３は、タッチパッド１０の操作面に接触する指の本数に応じて、操作アイコン表示９０を変更する。図示の例では、３本の指がタッチパッド１０の操作面に接触する場合の操作アイコン表示９０を示す。この操作アイコン表示９０は、マウスの操作部を模したアイコンであり、中央にホイール表示９２と、その左右にクリックボタン表示９４Ｌ，９４Ｒとを含む。２本の指がタッチパッド１０の操作面に接触する場合の操作アイコン表示９０は、例えば図示は省略するが、２本の指の間隔を広げることで画面の拡大ができ、２本の指の間隔を狭めることで画面の縮小ができることを模式的に表す表示であってよい。１本の指がタッチパッド１０の操作面に接触する場合の操作アイコン表示９０は、例えば図示は省略するが、なぞる操作や直接のタッチ操作により操作項目の変更やダイレクトな選択が可能であることを模式的に表す表示であってよい。また、これらの模式的に表す表示は、アニメーション技法を用い、更に直感性を高めてもよい。尚、２本の指がタッチパッド１０の操作面に接触する場合の操作アイコン表示９０や１本の指がタッチパッド１０の操作面に接触する場合の操作アイコン表示９０は、表示されず、省略されてもよい。
【００２８】
尚、２本の指の間隔を広げることでディスプレイ２０の操作画面（例えば地図画面）を拡大し、２本の指の間隔を狭めることでディスプレイ２０の操作画面を縮小するいわゆるピンチ操作について、拡大／縮小の基準点は、ディスプレイ２０の中央位置（固定位置）であってもよい。或いは、例えば地図画面がディスプレイ２０に表示されている場合、自車の現在位置を基準として拡大／縮小されてもよい。或いは、ディスプレイ２０の操作画面（例えば地図画面）に表示される操作アイコン表示９０の位置を基準として拡大／縮小されてもよい。この場合、操作アイコン表示９０は、拡大／縮小の基準位置をも示す機能を有することになる。
【００２９】
図４は、ディスプレイ２０の操作画面の状態と、タッチパッド１０の操作面に対する手の状態との関係を時系列で模式的に示す図である。尚、図４に示す例では、ディスプレイ２０の操作画面において、操作項目８１〜８５の図示は省略されている。また、図４に示す例では、操作する手は左手である。
【００３０】
図４（Ａ）は、タッチパッド１０の操作面に手を接触させる前の状態では、ディスプレイ２０の操作画面には、操作アイコン表示９０は表示されず、ガイド表示７０のみが表示される（但し、操作項目は表示される）。このガイド表示７０を見て、ユーザが３本の指をタッチパッド１０の操作面に接触させると、３本の指がタッチパッド１０により検出され、これに応答して、操作アイコン制御機能３２４は、図４（Ｂ）に示すように、３本の指がタッチパッド１０の操作面に接触する場合の操作アイコン表示９０を表示する。尚、操作アイコン表示９０の表示位置は、任意であってよく、３本の指の接触位置とは無関係な位置に設定されてもよい。ユーザは、図４（Ｃ）に示すように、この状態で、例えば中指を上から下に動かすことにより、操作項目８１〜８５のうちの所望の操作項目を選択することができる(即ちスクロール操作が可能である)。例えば、中指を上から下に動かすことにより、選択表示が操作項目８３(図３参照)から操作項目８４、操作項目８５、操作項目８１といった具合に変更（移動）される。尚、操作項目８５の後は、次のページの操作項目８６（図示せず）が出現して選択されてもよい。或いは、選択表示が中央の操作項目に固定されて、操作項目８１〜８５が上下に移動してもよい。この場合、操作項目８１が消えて、次のページの操作項目８６（図示せず）が操作項目８１の代わりの位置に出現してもよい。いずれにしても、好ましくは、ユーザが中指を上から下に動かすと、操作アイコン制御機能３２４は、それに連動させて、操作アイコン表示９０のホイール表示９２を回転させてもよい（図４（Ｃ）の矢印Ｙ参照）。ユーザは、所望の操作項目を選択できると、例えば一旦薬指だけをタッチパッド１０の操作面から離してから、薬指でタッチパッド１０の操作面をタッチし、決定操作を実現してもよい（即ち、クリックボタン表示９４Ｌの操作を実現してもよい）。或いは、ユーザは、前の操作画面に戻りたい場合には、例えば一旦人差し指だけをタッチパッド１０の操作面から離してから、人差し指でタッチパッド１０の操作面をタッチし、戻る操作を実現してもよい（即ち、クリックボタン表示９４Ｒの操作を実現してもよい）。このようにしてユーザは、所望の操作を完了すると、タッチパッド１０の操作面から手を離す。これに応じて、操作アイコン制御機能３２４は、図４（Ｄ）に示すように、操作アイコン表示９０を消去する。
【００３１】
図５は、制御ＥＣＵ３４により実現される要部処理の一例を示すフローチャートである。尚、図５に示す処理は、１本の指又は２本の指若しくは３本の指のいずれでも操作するのが可能な操作画面である場合を前提とする。１本の指又は２本の指のいずれでも操作するのが可能な操作画面である場合（３本の指の操作が不能な操作画面である場合）は、Ｓ５０４からＳ５３０に行く処理が省略されればよい。同様に、１本の指で操作するのが可能な操作画面である場合（２本の指及び３本の指の操作が不能な操作画面である場合）は、Ｓ５０４からＳ５２０に行く処理及びＳ５０４からＳ５３０に行く処理が省略されればよい。
【００３２】
図５に示すように、タッチパッド１０の操作面から指が離れた状態（Ｓ５００：離し状態）では、タッチパッド１０の操作面への手の接触の有無が離しタイマに基づき判定される（Ｓ５０２）。手の接触が無い場合は、離し状態（Ｓ５００）となる。尚、離し状態では、ディスプレイ２０にはガイド表示７０が表示されていてよい。手の接触があるときは、タッチパッド１０の操作面に接触する指の本数が判定される（Ｓ５０４）。
【００３３】
タッチパッド１０の操作面に接触する指の本数が１本のときは、指の接触点の座標（ｆｘ、ｆｙ）が記憶され（Ｓ５１０）、１本の指による操作状態（Ｓ５１２：１本操作状態）となる。１本操作状態では、タッチパッド１０の操作面への１本の指の接触の有無が離しタイマに基づき判定され（Ｓ５１４）、１本の指の接触が無い場合は、離し状態（Ｓ５００）となる。１本の指の接触があるときは、操作情報(例えば、タッチ操作の場合座標、なぞる操作の場合は座標変化量、方向)が描画ＥＣＵ３２に送信される（Ｓ５１６）。
【００３４】
タッチパッド１０の操作面に接触する指の本数が２本のときは、各指の接触点の座標（ｆｘ、ｆｙ）、（ｆ２ｘ、ｆ２ｙ）が記憶され（Ｓ５２０）、２本の指による操作状態（Ｓ５２２：２本操作状態）となる。２本操作状態では、タッチパッド１０の操作面への２本の指の接触の有無が離しタイマに基づき判定され（Ｓ５２４）、２本の指の接触が無い場合は、離し状態（Ｓ５００）となる。２本の指の接触があるときは、２本動作判定処理（Ｓ５２６）を経て、操作情報が描画ＥＣＵ３２に送信される（Ｓ５２８）。２本動作判定処理（Ｓ５２６）については後述する。
【００３５】
タッチパッド１０の操作面に接触する指の本数が３本のときは、各指の接触点の座標（ｆｘ、ｆｙ）、（ｆ２ｘ、ｆ２ｙ）、（ｆ３ｘ、ｆ３ｙ）が記憶され（Ｓ５３０）、３本の指による操作状態（Ｓ５３２：３本操作状態）となる。３本操作状態では、タッチパッド１０の操作面への指の接触の有無が離しタイマに基づき判定され（Ｓ５３４）、指の接触が無い場合は、離し状態（Ｓ５００）となる。指の接触が検出される場合、３本動作判定処理（Ｓ５４０）を経て、２本操作状態が判定される（Ｓ５４２）。２本操作状態であればＳ５２２に移行し、３本操作状態であれば、操作情報が描画ＥＣＵ３２に送信される（Ｓ５３８）。３本動作判定処理（Ｓ５４０）については後述する。
【００３６】
図６は、図５の２本動作判定処理（Ｓ５２６）の一例を示す図である。図７は、図６の説明図であり、２本操作状態における各指の接触点の座標の変化（軌跡）の一例を示す図である。
【００３７】
２本動作判定が開始されると、各指の接触点の座標（ｆ１ｘ、ｆ１ｙ）、（ｆ２ｘ、ｆ２ｙ）が蓄積される（Ｓ６００）。尚、図６において（図８についても同様）、大文字のＸ，Ｙは今回取得された座標を指す。また、（ｆ１ｘ、ｆ１ｙ）n-1の“n-1”は、１つ前の前回値を指し、（ｆ１ｘ、ｆ１ｙ）nの“n”は、今回値を指す。蓄積される座標点数は、少なくとも３点（即ちｎ＝３）であってよい。例えばサンプリング周期が２０ｍｓの場合、１００ｍｓよりも長い遅延は違和感となるため、５点の蓄積であってもよい。この場合、初回の軌跡の比較（Ｓ６０２）は、１００ｍｓ後となるが、以降は２０ｍｓ毎の判定となる。軌跡の比較（Ｓ６０２）では、移動距離が２指間の距離比よりも大きいか否かが判定される。移動距離は、例えば図７に符合Ｈにて示すように、ｘ方向又はｙ方向のうちのいずれか大きい方の軸方向に沿った移動距離であってよいし、それぞれの指の移動距離の平均値であってもよい。また、２指間の距離比は、図７に示すように、小さい方の２指間の距離Ｌ２を分母とし、大きい方の２指間の距離Ｌ１を分子として算出されてもよい。移動距離が２指間の距離比よりも小さいときは、ピンチ操作（拡大／縮小操作）と判断して、距離比がセットされ、２本動作判定が終了する。尚、このセットされる距離比は、Ｓ６０２で比較される比とは異なり、時系列的に前の距離を分母とし、時系列的に後の距離（Ｌ２又はＬ１）を分子として算出されてよい。このようにしてセットされた距離比は、操作情報として描画ＥＣＵ３２に送信される（Ｓ５２８）。また、移動距離が２指間の距離比よりも大きいときは、２本の指によるなぞり操作と判断して、移動量がセットされ、２本動作判定が終了する。尚、このセットされる移動量は、Ｓ６０２で比較される移動距離と同一であってもよい。このようにしてセットされた移動量は、操作情報として描画ＥＣＵ３２に送信される（Ｓ５２８）。
【００３８】
図８は、３本動作判定処理（Ｓ５４０）の一例を示す図である。図９は、図８の説明図であり、３本操作状態における各指の接触点の座標の変化（軌跡）の一例を示す図である。
【００３９】
３本動作判定が開始されると、離し状態か否かが判定され（Ｓ８００）、離し状態でないときは、タッチパッド１０の操作面への３本の接触状態が継続しているか否かが判定され（Ｓ８０１）、継続している場合は、今回の各指の接触点の座標（Ｘ１、Ｙ１）、（Ｘ２、Ｙ２）、（Ｘ３、Ｙ３）が蓄積されて（Ｓ８０２）、３本動作判定が終了する。他方、Ｓ８０１にて前回離していた状態である場合、離しタイマがリセットされ（Ｓ８１２）、動作した指(離されていた指)がどの指であるかが判定される（Ｓ８１４）。動作した指が中指であった場合は、座標を蓄積するデータテーブルがクリアされ（Ｓ８２３）、３本動作判定が終了する。Ｓ８１６での判定で動作した指が人差し指であった場合は、人差し指のオン状態が解除され（Ｓ８２０）、Ｓ８１６での判定で動作した指が薬指であった場合は、薬指のオン状態が解除され（Ｓ８２２）、それぞれ、座標を蓄積するデータテーブルがクリアされ（Ｓ８２３）、３本動作判定が終了する。人差し指のオン状態が解除されることで、人差し指のタッチ操作が検出され、例えば戻る操作が実現されてよい（即ち、クリックボタン表示９４Ｒの操作が実現されてもよい）。また、薬指のオン状態が解除されることで、薬指のタッチ操作が検出され、例えば決定操作が実現されてよい（即ち、クリックボタン表示９４Ｌの操作が実現されてもよい）。
【００４０】
また、Ｓ８００の判定において離し状態であるときは、どの指が離されているかが判定され（Ｓ８０６）、中指である場合は、初回の検出であるか否かが判定され（Ｓ８０７）、初回検出の場合は、離しタイマがセットされ（Ｓ８０８）、その時点で蓄積されている中指の接触点の座標に基づいて、中指の接触点の移動量及び移動方向（図９に軌跡Ｔ１参照）が算出されセットされ（Ｓ８１０）、３本動作判定が終了する。このようにしてセットされた中指の接触点の座標の移動量及び移動方向は、操作情報として描画ＥＣＵ３２に送信される（Ｓ５３８）。これにより、手の位置を保持する目的でタッチパッドの操作面に操作指（本例では中指）以外の指（本例では人差し指、薬指）を置いた状態で操作指のみを動かして操作することが可能となる(例えば図４（Ｃ）参照)。Ｓ８０７にて初回検出でない場合（即ち、中指の操作が継続中である場合）は、今回の各指の接触点の座標（Ｘ１、Ｙ１）、（Ｘ２、Ｙ２）、（Ｘ３、Ｙ３）が蓄積されて（Ｓ８０２）、３本動作判定が終了する。Ｓ８０６にて中指以外である場合は、離し時間が判定され（Ｓ８２４）、離し時間がアプリケーションの規定時間よりも長い場合は、離しタイマがリセットされ（Ｓ８２６）、２本操作状態がセットされ（Ｓ８２８）、３本動作判定が終了する。この場合、その後、図５のＳ５２２に移行することになる。離し状態が初回の検出である場合は、離しタイマがセットされ（Ｓ８３０）、指判定が行われ（Ｓ８３２）、離した指が人差し指であった場合は、人差し指のオン状態がセットされ（Ｓ８３４）、離した指が薬指であった場合は、人差し指のオン状態がセットされ（Ｓ８３６）、それぞれ、３本動作判定が終了する。
【００４１】
以上、本発明の好ましい実施例について詳説したが、本発明は、上述した実施例に制限されることはなく、本発明の範囲を逸脱することなく、上述した実施例に種々の変形及び置換を加えることができる。
【００４２】
例えば、上述した実施例において、３本以上の指の操作が検出された場合に、人差し指、中指、薬指の長さの相違を利用して右手か左手かを判定してもよい。例えば、指を面に水平に置いたときの形状を判断するロジックを使用すればよい。この場合、右手か左手かに応じた操作アイコン表示９０が生成・出力されてもよい。例えば、右手の場合の操作アイコン表示９０は、左手の場合の操作アイコン表示９０に対してボタン配置が左右反転されてもよい。
【００４３】
また、上述した実施例では、３本の指の操作仕様として、真ん中の指によるスクロール操作を可能とし、左右の指による決定操作又は戻る操作を可能としているが、真ん中の指によるスクロール操作のみを可能としてもよい。この場合、左右の指は、手の位置を保持する(真ん中の指による操作を安定させる)ためのみに、タッチパッド１０の操作面に載置されることになる。
【００４４】
また、上述した実施例では、３本の指の操作は、人差し指、中指、薬指の３本の指の操作がであったが、他の組み合わせも可能である。例えば、３本の指の操作は、中指、薬指、小指の組み合わせであってもよいし、親指、人差し指、中指の組み合わせであってもよい。
【符号の説明】
【００４５】
１    車両用操作装置
１０    タッチパッド
２０    ディスプレイ
３２    描画ＥＣＵ
３４    制御ＥＣＵ
【図１】
2013137711.tif 000003
【図２】
2013137711.tif 000004
【図４】
2013137711.tif 000005
【図５】
2013137711.tif 000006
【図６】
2013137711.tif 000007
【図７】
2013137711.tif 000008
【図８】
2013137711.tif 000009
【図９】
2013137711.tif 000010
【図３】
2013137711.tif 000011